(57)【要約】【課題】情報の記録に関する記録情報に異常があるマルチセッション方式の記録媒体でも再生処理の不具合を防止する再生装置を提供する。【解決手段】演算手段１３０は、サーボ制御部１１４を制御して装着した記録ディスクの最内周に光ピックアップ１１１を移動させ、記録情報取得手段１３２にて第１のセッションのリードインエリアから記録情報を取得する。演算手段１３０は、記録情報に基づいて記録ディスク１がマルチセッション方式であると判断すると、第２のセッションの記録情報を取得し、情報判断手段１３３にて記録情報を比較する。比較の結果、記録情報にコピープロテクションなどのための情報により異常があると判断すると、第２のセッションの記録情報は記憶せず、第１のセッションの記録情報に基づき、プログラム情報を取得し再生処理する。【選択図】  図２
2004259321.tif 000002
【特許請求の範囲】
【請求項１】
情報が記録される情報領域、および、この情報領域に対応し前記情報に関する記録情報が記録される記録領域の各々を複数有した記録媒体から、前記情報を取得する情報取得手段と、
前記記録媒体から前記記録情報を取得する記録情報取得手段と、
この記録情報取得手段にて取得する各記録領域毎の記録情報が異常であるかを判断する情報判断手段と、
この情報判断手段により記録情報が異常と判断されると、この異常と判断された記録情報の取得以前に取得された記録情報のうちの少なくともいずれか１つの記録情報が記録された前記記録領域に対応する前記情報領域の情報を前記情報取得手段にて取得させる情報選出手段と、
を具備したことを特徴とする情報処理装置。
【請求項２】
請求項１に記載の情報処理装置において、
前記情報選出手段は、前記情報判断手段により異常と判断された場合、最初に取得された記録情報が記録された前記記録領域に対応する前記情報領域の情報を前記情報取得手段にて取得させる
ことを特徴とする情報処理装置。
【請求項３】
請求項２に記載の情報処理装置において、
前記記録情報取得手段は、前記記録情報を順次取得し、
前記情報判断手段は、前記記録情報取得手段にて順次取得される前記記録情報が異常であるかを順次判断する
ことを特徴とする情報処理装置。
【請求項４】
情報が記録される情報領域、および、この情報領域に対応し前記情報領域における前記情報の記録位置に関する記録情報が記録される記録領域の各々を複数有した記録媒体から、前記情報を取得する情報取得手段と、
前記記録媒体から前記記録情報を取得する記録情報取得手段と、
この記録情報取得手段にて取得する各記録領域毎の記録情報から前記情報の記録位置が重複するかを判断する情報判断手段と、
この情報判断手段により前記情報の記録位置が重複すると判断されると、その重複すると判断された記録情報の取得以前に取得された記録情報のうちの少なくともいずれか１つの記録情報が記録された前記記録領域に対応する前記情報領域の情報を前記情報取得手段にて取得させる情報選出手段と、
を具備したことを特徴とする情報処理装置。
【請求項５】
請求項４に記載の情報処理装置において、
前記記録情報は、情報の取得開始位置に関する開始位置情報を有し、
前記情報判断手段は、前記開始位置情報が同一と判断した場合、前記情報の記録位置が重複すると判断する
ことを特徴とする情報処理装置。
【請求項６】
情報が記録される情報領域、および、この情報領域に対応し前記情報に関する記録情報が記録される記録領域の各々を複数有した記録媒体から前記情報を取得するための情報処理装置であって、
前記記録媒体から前記記録情報を取得する記録情報取得手段と、
この記録情報取得手段にて前記複数の記録領域からそれぞれ前記記録情報を取得させるマルチセッション取得状態と、前記記録情報取得手段にて前記複数の記録領域のうちのいずれか１つの記録領域から前記記録情報を取得させるシングルセッション取得状態とを切り替える切替手段と、を具備した
ことを特徴とする情報処理装置。
【請求項７】
請求項６に記載の情報処理装置において、
前記切替手段は、前記シングルセッション取得状態として前記マルチセッション取得状態において最初に取得する記録情報のみを取得する状態とする
ことを特徴とする情報処理装置。
【請求項８】
請求項６または請求項７に記載の情報処理装置において、
入力操作により設定入力される前記マルチセッション取得状態および前記シングルセッション取得状態の切替要求を取得する切替要求取得手段を具備し、
前記切替手段は、前記切替要求取得手段により切替要求を取得することにより、前記マルチセッション取得状態および前記シングルセッション取得状態を切り替える
ことを特徴とする情報処理装置。
【請求項９】
請求項１ないし請求項３および請求項６ないし請求項８のいずれかに記載の情報処理装置において、
前記記録情報は、前記記録媒体の種別に関する種別情報を有する
ことを特徴とする情報処理装置。
【請求項１０】
請求項１ないし請求項３および請求項６ないし請求項８のいずれかに記載の情報処理装置において、
前記記録情報は、前記情報領域における前記情報の記録位置に関するアドレス情報であり、
前記情報判断手段は、同一の情報についてのアドレス情報が異なると判断した場合に記録情報が異常であると判断する
ことを特徴とする情報処理装置。
【請求項１１】
情報が記録される情報領域、および、この情報領域に対応し前記情報に関する記録情報が記録される記録領域の各々を複数有した記録媒体から前記情報を取得するための情報処理方法であって、
前記記録領域にそれぞれ記録された記録情報を複数取得し、
これら取得した記録情報が異常であるかを判断し、
前記記録情報が異常であると判断すると、この異常と判断する記録情報の取得以前に取得された記録情報のうちの少なくともいずれか１つの記録情報が記録された前記記録領域に対応する前記情報領域の情報を取得する
ことを特徴とする情報処理方法。
【請求項１２】
情報が記録される情報領域、および、この情報領域に対応し前記情報領域における前記情報の記録位置に関する記録情報が記録される記録領域の各々を複数有した記録媒体から、前記情報を取得するための情報処理方法であって、
前記記録領域にそれぞれ記録された記録情報を複数取得し、
これら取得した複数の記録情報から、
前記情報の記録位置が重複するかを判断し、情報の記録位置が重複すると判断すると、その重複する判断された記録情報の取得以前に取得された記録情報が記録された前記記録領域に対応する前記情報領域の情報を取得する
ことを特徴とする情報処理方法。
【請求項１３】
情報が記録される情報領域、および、この情報領域に対応し前記情報関する記録情報が記録される記録領域の各々を複数有した記録媒体から、前記情報を取得するための情報処理方法であって、
切替要求に関する情報の取得により、前記複数の記録領域からそれぞれ前記記録情報を取得させるマルチセッション取得状態と、前記複数の記録領域のうちのいずれか１つの記録領域から前記記録情報を取得させるシングルセッション取得状態とを切り替える
ことを特徴とする情報処理方法。
【請求項１４】
請求項１ないし請求項１０のいずれかに記載の情報処理装置と、
この情報処理装置にて取得した情報を出力手段にて出力可能に処理する処理手段と、
を具備したことを特徴とする再生装置。
【請求項１５】
請求項８ないし請求項１０のいずれかに記載の情報処理装置と、
この情報処理装置にて取得した情報を出力手段にて出力可能に処理する処理手段と、
前記情報処理装置の切替手段にて前記マルチセッション取得状態および前記シングルセッション取得状態とを切り替えさせる切替要求を入力操作により設定入力する入力手段と、
を具備したことを特徴とする再生装置。
【請求項１６】
請求項１１ないし請求項１３のいずれかに記載の情報処理方法をコンピュータにて実行させる
ことを特徴とする情報処理プログラム。
【請求項１７】
請求項１６に記載の情報処理プログラムがコンピュータにて読み取り可能に記録された
ことを特徴とする情報処理プログラムを記録した記録媒体。
【発明の詳細な説明】
【０００１】
【発明の属する技術分野】
本発明は、例えばマルチセッション方式の記録媒体から情報を取得するための情報処理装置、その方法、そのプログラム、そのプログラムを記録した記録媒体、および、再生装置に関する。
【０００２】
【従来技術】
従来、いわゆるマルチセッション方式である複数の記録領域を有した記録媒体から情報を取得する方法として、例えば特開平１０−２３３０８０号公報（特許文献１）に記載の構成が知られている。
【０００３】
この特許文献１に記載のものは、例えばＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）などの記録媒体において、音楽データやフォトデータなどの各種情報が記録される領域であるセッションと、ＴＯＣ（Ｔａｂｌｅ  Ｏｆ  Ｃｏｎｔｅｎｔｓ）情報を記録するリードインエリアと、リードアウトエリアとを、複数対有したマルチセッション方式の記録媒体の情報を処理する。そして、記録媒体からＴＯＣ情報を読み取り、記録媒体がＣＤ−ＤＡ（Ｃｏｍｐａｃｔ  Ｄｉｓｋ−Ｄｉｇｉｔａｌ  Ａｕｄｉｏ）かＣＤ−ＲＯＭ（Ｃｏｍｐａｃｔ  Ｄｉｓｋ−Ｒｅａｄ  Ｏｎｌｙ  Ｍｅｍｏｒｙ）かを判断する。さらに、セッションが１つしかないシングルセッション方式か、複数設けられたマルチセッション方式かを判断する。
【０００４】
そして、マルチセッション方式であると判断した場合には、セッションに記録された情報の性状、すなわち音楽データかフォトデータかなどの選択情報を取得する。この取得した選択情報に基づいて、情報を出力可能に処理するための所定の再生プログラムを起動させ、情報を処理する。
【０００５】
【特許文献１】
特開平１０−２３３０８０号公報（第２頁右欄〜第４頁右欄）
【０００６】
【発明が解決しようとする課題】
しかしながら、上記特許文献１に記載のものにおいて、例えばコピープロテクトのためにリードインエリアのＴＯＣ情報に異常なデータが組み込まれた記録媒体を再生処理する際、ＴＯＣ情報に基づいてセッション内の情報を検索しても対応する情報を取得することができず、再生処理ができなくなるなどの不具合が生じるおそれがある問題が一例として挙げられる。
【０００７】
本発明は、このような点に鑑みて、情報の記録に関する記録情報に異常があるマルチセッション方式の記録媒体でも、情報処理の不具合を防止する情報処理装置、その方法、そのプログラム、そのプログラムを記録した記録媒体、および、再生装置を提供することを目的とする。
【０００８】
【課題を解決するための手段】
請求項１に記載の発明は、情報が記録される情報領域、および、この情報領域に対応し前記情報に関する記録情報が記録される記録領域の各々を複数有した記録媒体から、前記情報を取得する情報取得手段と、前記記録媒体から前記記録情報を取得する記録情報取得手段と、この記録情報取得手段にて取得する各記録領域毎の記録情報が異常であるかを判断する情報判断手段と、この情報判断手段により記録情報が異常と判断されると、この異常と判断された記録情報の取得以前に取得された記録情報のうちの少なくともいずれか１つの記録情報が記録された前記記録領域に対応する前記情報領域の情報を前記情報取得手段にて取得させる情報選出手段と、を具備したことを特徴とする情報処理装置である。
【０００９】
請求項４に記載の発明は、情報が記録される情報領域、および、この情報領域に対応し前記情報領域における前記情報の記録位置に関する記録情報が記録される記録領域の各々を複数有した記録媒体から、前記情報を取得する情報取得手段と、前記記録媒体から前記記録情報を取得する記録情報取得手段と、この記録情報取得手段にて取得する各記録領域毎の記録情報から前記情報の記録位置が重複するかを判断する情報判断手段と、この情報判断手段により前記情報の記録位置が重複すると判断されると、その重複すると判断された記録情報の取得以前に取得された記録情報のうちの少なくともいずれか１つの記録情報が記録された前記記録領域に対応する前記情報領域の情報を前記情報取得手段にて取得させる情報選出手段と、を具備したことを特徴とする情報処理装置である。
【００１０】
請求項６に記載の発明は、情報が記録される情報領域、および、この情報領域に対応し前記情報に関する記録情報が記録される記録領域の各々を複数有した記録媒体から前記情報を取得するための情報処理装置であって、前記記録媒体から前記記録情報を取得する記録情報取得手段と、この記録情報取得手段にて前記複数の記録領域からそれぞれ前記記録情報を取得させるマルチセッション取得状態と、前記記録情報取得手段にて前記複数の記録領域のうちのいずれか１つの記録領域から前記記録情報を取得させるシングルセッション取得状態とを切り替える切替手段と、を具備したことを特徴とする情報処理装置である。
【００１１】
請求項１１に記載の発明は、情報が記録される情報領域、および、この情報領域に対応し前記情報に関する記録情報が記録される記録領域の各々を複数有した記録媒体から前記情報を取得するための情報処理方法であって、前記記録領域にそれぞれ記録された記録情報を複数取得し、これら取得した記録情報が異常であるかを判断し、前記記録情報が異常であると判断すると、この異常と判断する記録情報の取得以前に取得された記録情報のうちの少なくともいずれか１つの記録情報が記録された前記記録領域に対応する前記情報領域の情報を取得することを特徴とする情報処理方法である。
【００１２】
請求項１２に記載の発明は、情報が記録される情報領域、および、この情報領域に対応し前記情報領域における前記情報の記録位置に関する記録情報が記録される記録領域の各々を複数有した記録媒体から、前記情報を取得するための情報処理方法であって、前記記録領域にそれぞれ記録された記録情報を複数取得し、これら取得した複数の記録情報から、前記情報の記録位置が重複するかを判断し、情報の記録位置が重複すると判断すると、その重複する判断された記録情報の取得以前に取得された記録情報が記録された前記記録領域に対応する前記情報領域の情報を取得することを特徴とする情報処理方法である。
【００１３】
請求項１３に記載の発明は、情報が記録される情報領域、および、この情報領域に対応し前記情報関する記録情報が記録される記録領域の各々を複数有した記録媒体から、前記情報を取得するための情報処理方法であって、切替要求に関する情報の取得により、前記複数の記録領域からそれぞれ前記記録情報を取得させるマルチセッション取得状態と、前記複数の記録領域のうちのいずれか１つの記録領域から前記記録情報を取得させるシングルセッション取得状態とを切り替えることを特徴とする情報処理方法である。
【００１４】
請求項１４に記載の発明は、請求項１ないし請求項１０のいずれかに記載の情報処理装置と、この情報処理装置にて取得した情報を出力手段にて出力可能に処理する処理手段と、を具備したことを特徴とする再生装置である。
【００１５】
請求項１５に記載の発明は、請求項８ないし請求項１０のいずれかに記載の情報処理装置と、この情報処理装置にて取得した情報を出力手段にて出力可能に処理する処理手段と、前記情報処理装置の切替手段にて前記マルチセッション取得状態および前記シングルセッション取得状態とを切り替えさせる切替要求を入力操作により設定入力する入力手段と、を具備したことを特徴とする再生装置である。
【００１６】
請求項１６に記載の発明は、請求項１１ないし請求項１３のいずれかに記載の情報処理方法をコンピュータにて実行させることを特徴とする情報処理プログラムである。
【００１７】
請求項１７に記載の発明は、請求項１６に記載の情報処理プログラムがコンピュータにて読み取り可能に記録されたことを特徴とする情報処理プログラムを記録した記録媒体である。
【００１８】
【発明の実施の形態】
以下に、本発明の情報処理装置に係る一実施の形態について図面を参照して説明する。なお、この一実施の形態では、記録媒体としてＣＤ−ＲＯＭ（Ｃｏｍｐａｃｔ  Ｄｉｓｋ−Ｒｅａｄ  Ｏｎｌｙ  Ｍｅｍｏｒｙ）やＤＶＤ−ＲＯＭ（Ｄｉｇｉｔａｌ  Ｖｅｒｓａｔｉｌｅ  Ｄｉｓｃ  −  Ｒｅａｄ  Ｏｎｌｙ  Ｍｅｍｏｒｙ）などのマルチセッション方式の記録ディスクに記録された情報を再生処理する再生装置について説明する。そして、対象となる記録媒体は、記録ディスクに限ることなく、様々な記録メディアが適用可能である。
【００１９】
〔記録ディスクの構造〕
まず、本発明に係る一実施の形態の再生装置にて再生処理される記録媒体としての記録ディスクの構造について、図１を参照して説明する。図１は、記録媒体としての記録ディスクの概略構造を簡略的に示した模式図である。
【００２０】
記録ディスク１は、略中央に図示しない略円形のセンタホールを有した円板状に形成され、片面が情報記録面となっている。この情報記録面には、その最内周側に始端であることを示すリードインコードが記録された記録領域であるリードインエリア２Ａが設けられている。また、情報記録面には、リードインエリア２Ａの外周側に音楽データや画像データ、プログラムデータなどの各種情報であるプログラム情報が記録される情報領域であるプログラムエリア２Ｂが隣接して設けられている。さらに、情報記録面には、プログラムエリア２Ｂの外周側にこのプログラムエリア２Ｂの終端であることを示すリードアウトコードが記録されたリードアウトエリア２Ｃが隣接して設けられている。これらリードインエリア２Ａ、プログラムエリア２Ｂ、および、リードアウトエリア２Ｃが対をなして１つのセッション２が構成される。
【００２１】
また、マルチセッション方式の記録ディスク１は、このセッション２が複数、例えば３つ設けられている。具体的には、記録ディスク１の最内周から第１のセッション２、第２のセッション３、第３のセッション４が設けられ、第２のセッション３および第３のセッション４も、第１のセッション２と同様に、リードインエリア３Ａ，４Ａ、プログラムエリア３Ｂ，４Ｂおよびリードアウトエリア３Ｃ，４Ｃがそれぞれ対をなして設けられている。なお、本実施の形態において、セッション２，３，４を３つとしたが、３つに限らない。すなわち、複数のセッション、例えば２つ以上のセッションを有するものはマルチセッション方式である。また、ＣＤ−ＤＡ（Ｃｏｍｐａｃｔ  Ｄｉｓｋ−Ｄｉｇｉｔａｌ  Ａｕｄｉｏ）などのシングルセッション方式の記録媒体では、セッションが１つだけである。
【００２２】
そして、各リードインエリア２Ａ，３Ａ，４Ａには、リードインコードとともに、記録情報が記録されている。この記録情報としては、ＴＯＣ情報に含まれる、記録ディスク１の種別に関する種別情報、プログラム情報のプログラムエリア２Ｂ，３Ｂ，４Ｂに記録された位置を示すアドレス情報などである。また、記録ディスク１の種別情報としては、例えばＣＤ−ＤＡ、ＣＤ−ＲＯＭ、ＤＶＤ−ＲＯＭ、ＤＶＤ−Ｒ（Ｄｉｇｉｔａｌ  Ｖｅｒｓａｔｉｌｅ  Ｄｉｓｃ−Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  −  ＲｅＷｒｉｔａｂｌｅ）などの種別や、シングルセッション方式かマルチセッション方式かを識別する情報である。また、アドレス情報は、リードインエリア２Ａ，３Ａ，４Ａに対応するプログラムエリア２Ｂ，３Ｂ，４Ｂに記録されたプログラム情報のトラック（Ｔｒ）開始時間やフレーム番号などである。
【００２３】
〔再生装置の構成〕
次に、上述した構成を有したマルチセッション方式の記録ディスク１を再生する再生装置の構成を図面を参照して説明する。図２は、再生装置の概略構成を示すブロック図である。図３は、情報判断手段の処理を説明するための記録ディスクの概略構成を示す説明図である。
【００２４】
図２において、１００は再生装置で、この再生装置１００は、記録ディスク１に記録された各種情報を、図示しない出力手段で出力すなわち再生させるために処理する。この再生装置１００は、読取手段１１０と、入力手段１２０と、情報処理装置としての演算手段１３０と、処理手段１４０と、を備えている。
【００２５】
読取手段１１０は、記録ディスク１の情報記録面に記録された各種情報、すなわちリードインエリアに記録されたＴＯＣ（Ｔａｂｌｅ  Ｏｆ  Ｃｏｎｔｅｎｔｓ）情報などの記録情報やプログラムエリアに記録されたプログラム情報などを読み取る。そして、読取手段１１０は、光ピックアップ１１１と、回転駆動手段１１２と、送りモータ１１３と、サーボ制御部１１４と、を備えている。
【００２６】
光ピックアップ１１１は、記録ディスク１の情報記録面に照射して反射する光を受光し、各種情報を電気信号として取得する。
【００２７】
回転駆動手段１１２は、再生装置１００の所定位置に装着された記録ディスク１を線速度または角速度を一定に回転駆動させる。そして、回転駆動手段１１２は、ターンテーブル１１２Ａと、クランパ１１２Ｂと、スピンドルモータ１１２Ｃと、を備えている。ターンテーブル１１２Ａは、記録ディスク１のセンターホールに係合し、記録ディスク１を再生装置１００の所定の位置に載置させて回転可能とする。クランパ１１２Ｂは、ターンテーブル１１２Ａとともに記録ディスク１を挾持する。スピンドルモータ１１２Ｃは、記録ディスク１が線速度または角速度を一定で回転する状態にターンテーブル１１２Ａを回転駆動させる。
【００２８】
送りモータ１１３は、光ピックアップ１１１を記録ディスク１の情報記録面に平行で、かつその径方向に沿って移動させる。
【００２９】
サーボ制御部１１４は、スピンドルモータ１１２Ｃの駆動を制御して記録ディスク１を線速度または角速度が一定の状態に回転させる。また、サーボ制御部１１４は、送りモータ１１３の駆動を制御し、光ピックアップ１１１を記録ディスク１の情報記録面に平行でかつ径方向に適宜移動させる。さらに、サーボ制御部１１４は、光ピックアップ１１１に設けられた図示しないフォーカスアクチュエータおよびトラッキングアクチュエータを制御し、反射される光の情報記録面からの焦点距離および情報記録面上の焦点位置を調整する。
【００３０】
入力手段１２０は、例えば切替スイッチなどが用いられる。この入力手段１２０は、利用者の入力操作により、記録ディスク１に記録された各種情報を取得する方法を切り替える切替要求を設定入力する。この各種情報を取得する方法としては、記録ディスク１をシングルセッション方式として演算手段１３０にて第１のセッション２のプログラムエリア２Ｂのみからプログラム情報を取得させるシングルセッション取得状態と、記録ディスク１をマルチセッション方式として演算手段１３０にて各セッション２，３，４の各プログラムエリア２Ｂ，３Ｂ，４Ｂからプログラム情報をそれぞれ取得させるマルチセッション取得状態と、である。そして、切替要求の設定入力は、シングルセッション取得状態またはマルチセッション取得状態のいずれか一方に設定する旨の切替要求情報を、入力操作による切替操作に対応して設定する。そして、この設定した切替要求情報を演算手段１３０へ出力する。なお、入力手段１２０としては、例えばリモコンなど、切替要求情報を無線媒体を介して再生装置１００に出力する構成などとしてもよい。
【００３１】
演算手段１３０は、読取手段１１０にて記録ディスク１から所定の情報を読み取らせる処理、すなわち読取手段１１０にて読み取らせる情報を選出する。また、演算手段１３０は、読取手段１１０の動作を制御する。そして、演算手段１３０は、情報取得手段１３１と、記録情報取得手段１３２と、情報判断手段１３３と、情報選出手段１３４と、切替要求取得手段１３５と、切替手段１３６と、を備えている。
【００３２】
情報取得手段１３１は、読取手段１１０にて読み取る各種情報のうち、記録ディスク１のプログラムエリア２Ｂ，３Ｂ，４Ｂに記録されたプログラム情報を取得する。
【００３３】
記録情報取得手段１３２は、読取手段１１０にて読み取る情報のうち、記録ディスク１のリードインエリア２Ａ，３Ａ，４Ａに記録された記録情報を取得する。
【００３４】
情報判断手段１３３は、記録情報取得手段１３２にて取得した記録情報の種別情報を比較し、同一か否かを判断する。また、情報判断手段１３３は、記録情報のアドレス情報を比較し、プログラム情報の重なり状態を判断する。すなわち、アドレス情報の開始時間が同一で異なるプログラム情報が重なってしまうとの異常、プログラム情報の開始時間と長さ時間との関係から、異なるプログラム情報が重なってしまう異常など、アドレス情報が異常か否かなどを判断する。
【００３５】
具体的には、例えば第１のセッション２で取得した記録情報の種別情報に記録ディスク１はＣＤ−ＲＯＭである旨が記載があり、第２のセッション３で取得した記録情報の種別情報に記録ディスク１はＣＤ−ＤＡである旨が記載されているとする。この場合、種別情報が異なる情報であることから、情報判断手段１３３は、記録情報の種別情報が異常であると判断する。
【００３６】
また、例えば図３に示すように、第１のセッション２で取得した記録情報のアドレス情報に、トラック（Ｔｒ）１の開始時間は２秒００、Ｔｒ２の開示時間は２分３０秒１０、Ｔｒ３の開始時間は５分４秒３４、Ｔｒ４の開始時間は１０分４１秒４７、Ｔｒ５の開始時間は１２分７秒４３と記載されているとする。そして、第２のセッション３で取得したアドレス情報に、Ｔｒ６の開始時間は２０分２９秒２０、Ｔｒ７の開始時間は２５分４９秒３１であるとの情報の他に、例えばコピープロテクションの目的から、プログラムエリア３Ｂには記録されていないＴｒ１からＴｒ５の開始時間はそれぞれ２秒００であるとの嘘の情報とが記載されているとする。
【００３７】
この場合、第２のセッション３のプログラムエリア３Ｂには、Ｔｒ１のプログラム情報は記録されていなくても、第１のセッション２のアドレス情報のＴｒ１と第２のセッション３のアドレス情報のＴｒ１の開始時間が同一であるから、異常とは判断しない。すなわち、内蔵メモリに書き換えても問題が生じない。ところが、第１のセッション２のＴｒ２からＴｒ５の開始時間と、第２のセッション３のＴｒ２からＴｒ５は開始時間が異なる。このため、異常と判断する。さらには、第２のセッション３のＴｒ１からＴｒ５が同じ時間であることから、Ｔｒ１からＴｒ５のプログラム情報が同一箇所に記録されていることとなり、互いに重なる状態である。この状態でプログラム情報を検索すると検索エラーが生じてしまうので、情報判断手段１３３は第２のセッション２の記録情報が異常と判断する。
【００３８】
情報選出手段１３４は、情報判断手段１３３にて記録情報を比較して、記録情報の種別情報が異なる、あるいは、異なるプログラム情報が重なるなどのアドレス情報の異常と判断した場合に、いずれか１つの記録情報、例えば最初に取得した第１のセッション２の記録情報が記録されるリードインエリア２Ａに対応するプログラム情報、あるいは異常と判断した記録情報以前に読み取った異常ではない記録情報が記録されたリードインエリア２Ａ，３Ａ，４Ａに対応するプログラム情報を、記録情報に基づいて情報取得手段１３１にて取得させる処理をする。
【００３９】
切替要求取得手段１３５は、入力手段１２０から出力される切替要求情報を取得して、シングルセッション取得状態またはマルチセッション取得状態のいずれかに切り替える旨の入力操作がされたかを認識する。シングルセッション取得状態は、情報判断手段１３３の判断状態を認識することなく、記録情報取得手段１３２にて取得させる記録情報として第１のセッション２のリードインエリア２Ａの記録情報のみを取得させ、この記録情報に基づいて第１のセッション２のプログラムエリア２Ｂのみからプログラム情報を取得させる状態である。また、マルチセッション取得状態は、記録情報取得手段１３２にて取得させる記録情報として第１のセッション２から順次、第２のセッション３および第３のセッション４の各リードインエリア２Ａ，３Ａ，４Ａの記録情報を取得させ、適宜情報判断手段１３３の判断状態に基づいて、各記録情報に対応する各セッション２，３，４のプログラムエリア２Ｂ，３Ｂ，４Ｂからプログラム情報をそれぞれ取得させる状態である。
【００４０】
切替手段１３６は、切替要求取得手段１３５にてシングルセッション取得状態またはマルチセッション取得状態に切り替える旨の設定入力の認識に基づいて、情報選出手段１３４の制御により情報取得手段１３１にてプログラム情報を取得させる状態を設定する。すなわち、情報選出手段１３４の制御にて情報取得手段１３１で情報を取得させる状態を、シングルセッション取得状態、あるいは、マルチセッション取得状態のいずれかの状態にする。
【００４１】
処理手段１４０は、演算手段１３０の情報取得手段１３１にて取得したプログラム情報を再生させるための処理をする。例えば、プログラム情報が音楽データの場合には、音楽データをスピーカなどの出力手段から音楽として再生させるための処理、画像データを表示装置などの出力手段にて画面表示として再生させるための処理などをする。そして、処理された情報は、この処理手段１４０に接続された図示しない出力手段に適宜出力され、再生される。
【００４２】
〔再生装置の演算手段による情報の取得動作〕
次に、上記再生装置において記録ディスクから情報を取得する動作について、図面を参照して説明する。図３は、記録情報の取得動作を示すフローチャートである。
【００４３】
まず、記録ディスク１が再生装置１００に装着されると、演算手段１３０はサーボ制御部１１４を制御し、送りモータ１１３を適宜駆動させ、光ピックアップ１１１の記録ディスク１で反射させる光である読取光を記録ディスク１の最内周に位置させる。さらに、記録ディスク１を線速度一定に回転駆動すべくスピンドルモータ１１２Ｃを起動させる。
【００４４】
そして、演算手段１３０は、光ピックアップ１１１の図示しないフォーカスアクチュエータおよびトラッキングアクチュエータを制御し、図１中矢印Ａに示すように、記録情報取得手段１３２にて第１のセッション２のリードインエリア２ＡからＴＯＣ情報などの記録情報を取得させる（ステップＳ１）。さらに、演算手段１３０は、取得した記録情報に記述される種別情報に基づいて記録ディスク１の種別を判断するとともに、種別情報および切替手段１３６による設定に基づいてシングルセッション方式かマルチセッション方式かを判断する（ステップＳ２）。
【００４５】
このステップＳ２において、記録ディスク１がシングルセッション方式である、あるいは切替手段１３６にてシングルセッション取得状態に設定されていると判断すると、演算手段１３０の図示しない内蔵メモリに第１のセッション２の記録情報を更新、すなわち記憶させる処理をする（ステップＳ３）。また、ステップＳ２において、記録ディスク１がマルチセッション方式である、あるいは切替手段１３６にてマルチセッション取得状態に設定されていると判断すると、情報判断手段１３３により取得した記録情報が異常であるか否かを判断する（ステップＳ４）。
【００４６】
なお、このステップＳ４において、第１のセッション２の記録情報を取得した時点では、従前に取得した記録情報がないことから、情報判断手段１３３は、記録情報が異常でないと判断する。また、ステップＳ１で第２のセッション３以降の記録情報を取得した場合には、既に記録情報を取得しているので、その記録情報と新たに取得した記録情報とを情報判断手段１３３で比較して、異常か否かを判断する。そして、異常ではないと判断した場合には、ステップＳ３に進み、演算手段１３０は記録情報取得手段１３２にて新たに取得したセッション３，４に対応する記録情報を、内蔵メモリに記憶させる処理をする。
【００４７】
また、ステップＳ４で異常であると判断すると、比較した記録情報に異常がある、すなわち種別情報が同一ではない、あるいは、上述した例えば図３に示すようなアドレス情報が異常であると判断すると、記録ディスク１をシングルセッション方式として扱い、シングルセッション取得状態として処理し（ステップＳ５）、記録情報を取得する動作を終了する。具体的には、既に取得している第１のセッション２の記録情報を内蔵メモリに記憶させ、他のセッション３，４があっても記録情報を取得する動作を終了する。
【００４８】
そして、ステップ３で記録情報を内蔵メモリに記憶する処理の後、記録情報としてその他の追記情報があるかないかを判断する（ステップＳ６）。例えば、内蔵メモリに記憶した記録情報にさらにセッションがある旨などの追記情報の有無、リードアウトエリア２Ｃ，３Ｃ，４Ｃのアドレス情報の有無などを判断する。そして、追記情報がない場合には、内蔵メモリに記録した記録情報のアドレス情報に基づいて、演算手段１３０がサーボ制御部１１４を制御してプログラム情報を適宜検索して情報取得手段１３１にて取得する。なお、ステップＳ５でシングルセッション取得状態とした場合にも同様に、内蔵メモリに記憶した記録情報に基づいて第１のセッション２のプログラムエリアのみからプログラム情報を取得する処理に移行する。
【００４９】
また、ステップＳ６において、追記情報があると判断した場合、例えばさらにセッションがあるものと判断し、第２のセッション３以降のリードインエリア３Ａ，４Ａに記録された記録情報を取得させる処理をする。
【００５０】
具体的には、例えば図１中矢印Ｂに示すように、演算手段１３０は、取得した記録情報の追記情報に基づいて、取得した記録情報に対応するセッション２，３，４のリードアウトエリア２Ｃ，３Ｃ，４Ｃの位置を認識する。そして、サーボ制御部１１４を制御し、光ピックアップ１１１をリードアウトエリア２Ｃ，３Ｃ，４Ｃに対応する位置に移動させ、リードアウトエリア２Ｃ，３Ｃ，４Ｃの検索をする（ステップＳ７）。
【００５１】
さらに、演算手段１３０は、図１中矢印Ｃに示すように、サーボ制御部１１４を制御して光ピックアップ１１１を適宜移動させ、検索したリードアウトエリア２Ｃ，３Ｃに隣接する第２のセッション３のリードインエリア３Ａや第３のセッション４のリードインエリア４Ａを検索する（ステップＳ８）。このステップＳ８のリードインエリア３Ａ，４Ａの検索により、リードインエリア３Ａ，４Ａを検出したか否かを判断する（ステップＳ９）。
【００５２】
そして、ステップＳ９で、リードインエリア３Ａ，４Ａを検出した場合、ステップ１に進み、検出したリードインエリア３Ａ，４Ａの記録情報を取得する制御をする。また、ステップＳ９でリードインエリア３Ａ，４Ａを検出できなかった場合、リードインエリア３Ａ，４Ａを再検索するか否かを判断する（ステップＳ１０）。
【００５３】
このステップＳ１０で、例えば検索回数をカウントし、所定回数検出したことを認識、あるいは読取光の読み取りにより何の情報も記録されていない鏡面状態の領域だけであると判断した場合、再検索をせず、記録情報を取得するための処理を終了し、上述したように、内蔵メモリに記憶された記録情報に基づいてプログラム情報を検索して情報取得手段１３１にて取得する処理に移行する。また、例えば所定回数検出していない、あるいは読取光の読み取りにより鏡面状態ではないと判断した場合、再検索をするために、ステップＳ７に戻る。
【００５４】
なお、図１において、矢印Ｂおよび矢印Ｃにおいて、二点鎖線の矢印は、例えば第３のセッション４のリードインエリア４Ａの記録情報に最終セッションではない旨などの追記情報がある場合や、最終セッションである旨が記載されていない場合にリードアウトエリア４Ｃを検索するステップＳ７の処理を示している。
【００５５】
そして、演算手段１３０は、記録情報に基づいて情報取得手段１３１で適宜取得したプログラム情報を処理手段１４０に出力する。この出力されるプログラム情報を取得した処理手段１４０は、プログラム情報を例えばデコード処理するなど適宜処理し、図示しない出力手段に出力する。この出力手段への出力により、処理されたプログラム情報は、例えば音楽として再生されたり、画面表示として再生される。
【００５６】
上述したように、上記実施の形態では、情報判断手段１３３により記録情報取得手段１３２で取得した記録ディスク１の各リードインエリア２Ａ，３Ａ，４Ａ毎の記録情報を比較して記録情報の例えば種別情報が異なる異常であると判断すると、この異常と判断した際に取得した記録情報の取得以前に取得された記録情報のうちの少なくともいずれか１つの記録情報が記録されたリードインエリア２Ａ，３Ａ，４Ａに対応するプログラムエリア２Ｂ，３Ｂ，４Ｂのプログラム情報、例えば最初に取得した記録情報に基づいて最初の第１のセッション２のプログラムエリア２Ｂのみのプログラム情報を情報取得手段１３１にて取得させる。
【００５７】
このため、例えばコピープロテクションの目的で種別情報として嘘の情報などが記録情報に盛り込まれていても、その記録情報を前の正しい記録情報に書き換えてプログラム情報の検索ができなくなる不都合を防止し、それまで取得していた正しい記録情報に基づいて、その記録情報に対応するプログラム情報のみでも再生処理できるようにすることで、全く再生できなくなるなどの再生処理の不具合を防止できる。
【００５８】
また、情報判断手段１３３にて異常を判断した場合、始めに取得された第１のセッション２の記録情報が記録されたリードインエリア２Ａに対応するプログラムエリア２Ｂのみのプログラム情報を情報取得手段１３１にて取得させる。このため、例えばコピープロテクションの目的で嘘の情報などが記録情報に盛り込まれていても、シングルセッション方式として通常のＣＤ−ＤＡのように情報を取得するので、少なくともシングルセッション方式の記録ディスク１と同様に情報を取得でき、全く処理できなくなるなどの再生処理の不具合を容易に防止できる。
【００５９】
そして、記録情報取得手段１３２にて例えば第１のセッション２から順次記録情報を取得させ、情報判断手段１３３にて順次取得される記録情報を順次比較して異常か否かを判断させる。このことにより、例えばコピープロテクションの目的などにて異常な記録情報がいずれのセッション２，３，４からのものかが容易に認識できるようになり、正常に情報を取得できるセッションを容易に選別でき、再生処理の不具合を生じさせない情報の取得が容易にできる。
【００６０】
また、情報判断手段１３３により記録情報の例えばアドレス情報を比較してプログラム情報が記録される位置の重なり状態である重複するかを判断し、プログラム情報の記録される位置が重複すると判断すると、その判断の際に取得した記録情報の取得以前に取得した少なくともいずれか１つの記録情報が記録されたリードインエリア２Ａ，３Ａ，４Ａに対応するプログラムエリア２Ｂ，３Ｂ，４Ｂのプログラム情報、例えば最初に取得した記録情報に基づいて最初の第１のセッション２のプログラムエリア２Ｂのみのプログラム情報を情報取得手段１３１にて取得させる。このため、例えばコピープロテクションの目的でアドレス情報として嘘の情報などが記録情報に盛り込まれていても、その記録情報を前の正しい記録情報に書き換えてプログラム情報の検索ができなくなる不都合を防止し、それまで取得していた正しい記録情報に基づいて、その記録情報に対応するプログラム情報のみでも再生処理できるようにすることで、全く再生できなくなるなどの再生処理の不具合を防止できる。
【００６１】
さらに、切替手段１３６により、記録情報取得手段１３２にて記録ディスク１の複数のリードインエリア２Ａ，３Ａ，４Ａからそれぞれ記録情報を取得させるマルチセッション取得状態と、記録情報取得手段１３２にて複数のリードインエリア２Ａ，３Ａ，４Ａのうちのいずれか１つのリードインエリア２Ａ，３Ａ，４Ａから記録情報を取得させるシングルセッション取得状態とに切り替え可能としている。このため、演算手段１３０にて演算してマルチセッション方式かシングルセッション方式かを判断することなく、例えば手動の入力操作にて切り替えることができ、処理負荷を低減でき、情報の迅速な取得が可能となり、例えば情報を処理して出力手段から再生させるまでを短縮できる。
【００６２】
そして、このシングルセッション取得状態として、マルチセッション取得状態で最初に取得する第１のセッション２の記録情報のみを取得させることにより、通常のＣＤ−ＤＡのようなシングルセッション方式の記録ディスク１と同様に、迅速で円滑な情報の取得が容易にできる。
【００６３】
また、切替手段１３６にて切り替えさせる切替要求情報を、入力手段の設定入力で生成させる構成とすることで、あらかじめいずれの取得状態とするかを設定できることとなり、処理の迅速化が容易に図れる。
【００６４】
〔実施の形態の変形〕
なお、本発明は、上述した各実施の形態に限定されるものではなく、本発明の目的を達成できる範囲で以下に示される変形をも含むものである。
【００６５】
すなわち、再生装置１００において再生させるプログラム情報を取得するための構成について説明したが、再生装置１００に限らず、例えば記録媒体に記録された情報を読み取ってコンピュータに処理させるためのドライブ装置などに利用するなどしてもよい。
【００６６】
また、マルチセッション方式の記録ディスク１から情報を読み取る構成として説明したが、例えばＣＤ−ＤＡなどのシングルセッション方式の記録媒体から情報を読み取ることも可能で、記録ディスク１に限らず、情報領域および記録領域を有したマルチセッション方式の記録媒体から情報を取得可能ないずれの構成にも適用できる。
【００６７】
そして、記録情報が異常であると判断した場合に、最初のセッションである第１のセッション２のみからプログラム情報を取得して説明したが、１つのセッションのみに限らず、異常と判断した記録情報以前に取得した記録情報に基づいてプログラム情報を取得するようにしてもよい。すなわち、例えば第３のセッション４で取得した記録情報が第２のセッション３で取得した記録情報と異なって異常であると判断した場合、第１のセッション２および第２のセッション３の各記録情報に基づいて各プログラムエリア２Ｂ，３Ｂからプログラム情報を取得するようにしてもよい。
【００６８】
また、情報判断手段１３３で比較する方法としては、例えば取得した記録情報のアドレス情報について、例えば異なるＴｒの開始時間が同一であるか否かを判断し、異なるＴｒのプログラム情報が重なるか否かを判断することで取得した記録情報が異常であると判断し、他の異常でない記録情報に基づいてプログラム情報を取得するようにしてもよい。
【００６９】
そして、順次取得した記録情報を順次比較して説明したが、例えば取得した複数の記録情報を一括して比較して異常を判断し、異なる異常の記録情報以外の同一の記録情報に基づいてプログラム情報を取得したり、アドレス情報が異常でない記録情報に基づいてプログラム情報を取得するなどしてもよい。さらには、記録情報を順次取得する場合に限らず、一括して取得してもよい。
【００７０】
また、記録情報の識別情報が同一か否かのみの比較、あるいはアドレス情報がプログラム情報の重畳がある異常か否かのみの比較だけとしてもよい。
【００７１】
さらに、アドレス情報として開始時間でプログラム情報の重なり状態を判断する場合に限らず、例えば開始時間とプログラム情報の長さ時間とに基づいてプログラム情報が重なるか否かを判断するなどしもよく、開始時間に限らずプログラム情報の記録された位置を特定するフレーム番号などのいずれの開始位置情報を用いてもよい。
【００７２】
また、記録情報の識別情報のシングルセッション方式かマルチセッション方式かに基づいて自動的にシングルセッション取得状態あるいはマルチセッション取得状態に設定して記録情報を取得して説明したが、単に入力手段１２０の切替操作により、強制的にシングルセッション取得状態あるいはマルチセッション取得状態に切り替えてもよい。すなわち、マルチセッション方式の記録ディスク１でも、例えば利用者がコピープロテクションが施されたものであることが分かっている場合、演算手段１３０にて判断させることなく、強制的にシングルセッション取得状態に設定することで、判断時間が削除され、プログラム情報の迅速な取得ができ、再生装置１００の場合では迅速にプログラム情報の再生ができる。
【００７３】
なお、この入力手段１２０、切替要求取得手段１３５および切替手段１３６を設けず、切替できない構成としてもよい。そして、入力手段１２０は、上述したように、スイッチの構成に限らず、切替要求情報を設定可能ないずれの構成でもできる。
【００７４】
また、コンピュータとしての演算手段１３０としては、例えば１台のパーソナルコンピュータとしたり、複数のコンピュータをネットワーク状に組み合わせた構成や、マイクロコンピュータなどのＩＣやＣＰＵなどである素子、複数の電気部品が搭載された回路基板なども含む意味として定義される。また、上記演算手段１３０の構成を記録媒体などに記録されたプログラムやネットワーク介して取得するプログラムなどとして、このプログラムをインストールすることにより演算手段１３０を構成させるようにしてもよい。このような構成とすることで、利用の拡大が容易に図れる。
【００７５】
その他、本発明の実施の際の具体的な構造および手順は、本発明の目的を達成できる範囲で他の構造などに適宜変更できる。
【００７６】
〔実施の形態の効果〕
上述したように、プログラム情報が記録されるプログラムエリア２Ｂ，３Ｂ，４Ｂ、および、このプログラムエリア２Ｂ，３Ｂ，４Ｂに対応しプログラム情報の記録に関する記録情報が記録されるリードインエリア２Ａ，３Ａ，４Ａの各々を複数有した記録ディスク１から、プログラム情報を取得する情報取得手段１３１と、記録ディスク１から記録情報を取得する記録情報取得手段１３２と、この記録情報取得手段１３２にて取得する各リードインエリア２Ａ，３Ａ，４Ａ毎の記録情報が異常であるかを判断する情報判断手段１３３と、この情報判断手段１３３により記録情報が異常と判断されると、この異常と判断された記録情報の取得以前に取得された記録情報のうちの少なくともいずれか１つの記録情報が記録されたリードインエリア２Ａ，３Ａ，４Ａに対応するプログラムエリア２Ｂ，３Ｂ，４Ｂのプログラム情報を情報取得手段１３１にて取得させる情報選出手段１３４と、を備えている。
【００７７】
そして、情報判断手段１３３により記録情報取得手段１３２で取得した記録ディスク１の各リードインエリア２Ａ，３Ａ，４Ａ毎の記録情報を比較して記録情報が異なる異常であると判断すると、この異常と判断した際に取得した記録情報の取得以前に取得された少なくともいずれか１つの記録情報が記録されたリードインエリア２Ａ，３Ａ，４Ａに対応するプログラムエリア２Ｂ，３Ｂ，４Ｂのプログラム情報、例えば最初に取得した記録情報に基づいて最初の第１のセッション２のプログラムエリア２Ｂのみのプログラム情報を情報取得手段１３１にて取得させる。このため、例えばコピープロテクションの目的で嘘の情報などが記録情報に盛り込まれていても、その記録情報を前の正しい記録情報に書き換えてプログラム情報の検索ができなくなる不都合を防止し、それまで取得していた正しい記録情報に基づいて、その記録情報に対応するプログラム情報のみでも再生処理できるようにすることで、全く再生できなくなるなどの再生処理の不具合を防止できる。
【００７８】
また、プログラム情報が記録されるプログラムエリア２Ｂ，３Ｂ，４Ｂ、および、このプログラムエリア２Ｂ，３Ｂ，４Ｂに対応しプログラム情報がプログラムエリア２Ｂ，３Ｂ，４Ｂに記録される位置に関する記録情報が記録されるリードインエリア２Ａ，３Ａ，４Ａの各々を複数有した記録ディスク１から、プログラム情報を取得する情報取得手段１３１と、記録ディスク１から記録情報を取得する記録情報取得手段１３２と、この記録情報取得手段１３２にて取得する各リードインエリア２Ａ，３Ａ，４Ａ毎の記録情報からプログラム情報の記録位置が重複するかを判断する情報判断手段１３３と、この情報判断手段１３３によりプログラム情報の記録位置が重複すると判断すると、その重複巣売ると判断された記録情報の取得以前に取得された記録情報のうちの少なくともいずれか１つの記録情報が記録されたリードインエリア２Ａ，３Ａ，４Ａに対応するプログラムエリア２Ｂ，３Ｂ，４Ｂのプログラム情報を情報取得手段１３１にて取得させる情報選出手段１３４と、を備えている。
【００７９】
そして、情報判断手段１３３により記録情報取得手段１３２で取得した記録ディスク１の各リードインエリア２Ａ，３Ａ，４Ａ毎の記録情報を比較してプログラム情報が記録される位置の重なり状態である重複するかを判断し、プログラム情報の記録される位置が重複すると判断すると、その判断の際に取得した記録情報の取得以前に取得した少なくともいずれか１つの記録情報が記録されたリードインエリア２Ａ，３Ａ，４Ａに対応するプログラムエリア２Ｂ，３Ｂ，４Ｂのプログラム情報、例えば最初に取得した記録情報に基づいて最初の第１のセッション２のプログラムエリア２Ｂのみのプログラム情報を情報取得手段１３１にて取得させる。このため、例えばコピープロテクションの目的で嘘の情報などが記録情報に盛り込まれていても、その記録情報を前の正しい記録情報に書き換えてプログラム情報の検索ができなくなる不都合を防止し、それまで取得していた正しい記録情報に基づいて、その記録情報に対応するプログラム情報のみでも再生処理できるようにすることで、全く再生できなくなるなどの再生処理の不具合を防止できる。
【００８０】
そしてまた、プログラム情報が記録されるプログラムエリア２Ｂ，３Ｂ，４Ｂ、および、このプログラムエリア２Ｂ，３Ｂ，４Ｂに対応しプログラム情報の記録に関する記録情報が記録されるリードインエリア２Ａ，３Ａ，４Ａの各々を複数有した記録ディスク１からプログラム情報を取得するための演算手段１３０であって、記録ディスク１から記録情報を取得する記録情報取得手段１３２と、この記録情報取得手段１３２にて複数のリードインエリア２Ａ，３Ａ，４Ａからそれぞれ記録情報を取得させるマルチセッション取得状態と、記録情報取得手段１３２にて複数のリードインエリア２Ａ，３Ａ，４Ａのうちのいずれか１つのリードインエリア２Ａ，３Ａ，４Ａから記録情報を取得させるシングルセッション取得状態とを切り替える切替手段１３６と、を備えている。
【００８１】
そして、切替手段１３６により、記録情報取得手段１３２にて記録ディスク１の複数のリードインエリア２Ａ，３Ａ，４Ａからそれぞれ記録情報を取得させるマルチセッション取得状態と、記録情報取得手段１３２にて複数のリードインエリア２Ａ，３Ａ，４Ａのうちのいずれか１つのリードインエリア２Ａ，３Ａ，４Ａから記録情報を取得させるシングルセッション取得状態とに切り替える。このため、演算手段１３０にて演算してマルチセッション方式かシングルセッション方式かを判断することなく、例えば手動の入力操作にて切り替えることができ、処理負荷を低減でき、情報の迅速な取得が可能となり、例えば情報を処理して出力手段から再生させるまでを短縮できる。
【図面の簡単な説明】
【図１】本発明の一実施の形態に係る再生装置にて再生処理される記録ディスクの概略構造を簡略的に示した模式図である。
【図２】前記一実施の形態における再生装置の概略構成を示すブロック図である。
【図３】前記一実施の形態における再生装置の情報判断手段の処理を説明するための記録ディスクの概略構成を示す説明図である。
【図４】前記一実施の形態における再生装置の記録情報の取得動作を示すフローチャートである。
【符号の説明】
１００    再生装置
１２０    入力手段
１３０    情報処理装置としての演算手段
１３１    情報取得手段
１３２    記録情報取得手段
１３３    情報判断手段
１３４    情報選出手段
１３５    切替要求取得手段
１３６    切替手段
１４０    処理手段
【図１】
2004259321.tif 000003
【図２】
2004259321.tif 000004
【図３】
2004259321.tif 000005
【図４】
2004259321.tif 000006